(57)【要約】【課題】待受状態時において、インターホン子機を除く外部機器にて撮像／作成された映像／データ等をインターホン親機にて出画させる。【解決手段】インターホン子機１の呼出ボタン１０が操作された際にインターホン親機２のスピーカ２４から呼出音が鳴動され、インターホン子機のカメラ１１にて撮像された映像がインターホン親機のカラーディスプレイ２９に出画される呼び出しの動作、インターホン子機の通話部１４とインターホン親機の通話部３０との間で成立される通話の動作、インターホン親機の映像モニタボタン２５が操作された際にカメラにて撮像された映像がカラーディスプレイに出画される映像モニタの動作がそれぞれ作動していない待受状態時において、多機能ビデオ入力端子Ｔ2b、多機能映像切替スイッチ２７、ビデオアンプ２８を介して伝送されてくるインターホン子機を除く外部機器からの映像／データ等をカラーディスプレイに出画させる。【選択図】  図１
2004201082.tif 000002
【特許請求の範囲】
【請求項１】
来訪者がインターホン子機（１）の呼出ボタン（１０）を操作することによりインターホン親機（２）の呼出検出回路（２１）にて呼び出しを検出しスピーカ（２４）から呼出音が鳴動され、前記インターホン子機のカメラ（１１）にて撮像された前記来訪者の映像が前記インターホン親機のカラーディスプレイ（２９）に出画され、前記インターホン親機の応答操作により前記インターホン子機の通話部（１４）と前記インターホン親機の通話部（３０）との間で通話を成立させるとともに、前記インターホン親機の映像モニタボタン（２５）を操作することにより前記インターホン子機が動作され前記カメラにて撮像された映像が前記インターホン親機の前記カラーディスプレイに出画されるカラーテレビドアホン装置であって、
前記インターホン親機は、多機能ビデオ信号が入力される多機能ビデオ入力端子（Ｔ2b）と、呼び出し、通話、映像モニタの各動作が作動していない待受状態時は前記多機能ビデオ入力端子側に、前記呼び出し、通話、映像モニタの各動作が作動している時は前記カメラにて撮像された映像側にそれぞれ切り替えて前記カラーディスプレイに接続するための多機能映像切替スイッチ（２７）とを備えたことを特徴とするカラーテレビドアホン装置。
【発明の詳細な説明】
【０００１】
【発明の属する技術分野】
本発明はカラーテレビドアホン装置に係り、特に、インターホン子機にて撮像された映像以外の映像／データ等をインターホン親機にて出画することができるカラーテレビドアホン装置に関する。
【０００２】
【従来の技術】
従来から、この種のカラーテレビドアホン装置として、インターホン親機の拡声スピーカから鳴動された呼出音およびモニタに出画された映像のみならず、モニタの少なくとも一部に出力表示された呼出状態を示す文字または記号からなる映像、またはフリッカされた映像により、玄関先（玄関）に居る来訪者からの呼び出しについて住戸内の居住者が確認することができるドアホン装置が開示されている（例えば、特許文献１参照）。
【０００３】
【特許文献１】特開２０００−１２５０２１号公報（段落番号００２２）
【発明が解決しようとする課題】
しかしながら、従来例のドアホン装置の基本動作とされるインターホン子機からの呼び出しをインターホン親機にて報知する呼び出しの動作、インターホン子機とインターホン親機との間で成立される通話の動作、インターホン子機にて撮像された映像がインターホン親機にて出画される映像モニタの動作が作動していない待受状態時において、インターホン親機のカラーディスプレイには、当該インターホン子機を除く外部機器、例えば、デジタルカメラ、監視カメラ等の映像撮像器、ビデオプレイヤーやＤＶＤプレイヤー等の映像再生器およびＰＤＡ等のデータ作成器等にて撮像／作成された映像／データ等を出画することができない難点があった。
【０００４】
本発明は、上述の難点を解消するためになされたもので、呼び出し、通話、映像モニタの各動作が作動していない待受状態時において、インターホン子機を除く外部機器にて撮像／作成された映像／データ等をインターホン親機にて出画させることができるカラーテレビドアホン装置を提供することを目的としている。
【０００５】
【課題を解決するための手段】
上述の目的を達成するため、本発明のカラーテレビドアホン装置は、来訪者がインターホン子機の呼出ボタンを操作することによりインターホン親機の呼出検出回路にて呼び出しを検出しスピーカから呼出音が鳴動され、インターホン子機のカメラにて撮像された来訪者の映像がインターホン親機のカラーディスプレイに出画され、インターホン親機の応答操作によりインターホン子機の通話部とインターホン親機の通話部との間で通話を成立させるとともに、インターホン親機の映像モニタボタンを操作することによりインターホン子機が動作されカメラにて撮像された映像がインターホン親機のカラーディスプレイに出画されるものである。インターホン親機は、多機能ビデオ信号が入力される多機能ビデオ入力端子と、呼び出し、通話、映像モニタの各動作が作動していない待受状態時は多機能ビデオ入力端子側に、呼び出し、通話、映像モニタの各動作が作動している時はカメラにて撮像された映像側にそれぞれ切り替えてカラーディスプレイに接続するための多機能映像切替スイッチとを備えたものである。
【０００６】
このようなカラーテレビドアホン装置によれば、インターホン子機の呼出ボタンが操作された際にインターホン親機のスピーカから呼出音が鳴動され、インターホン子機のカメラにて撮像された映像がインターホン親機のカラーディスプレイに出画される呼び出しの動作、インターホン子機の通話部とインターホン親機の通話部との間で成立される通話の動作、インターホン親機の映像モニタボタンが操作された際にカメラにて撮像された映像がカラーディスプレイに出画される映像モニタの動作がそれぞれ作動していない待受状態時において、カラーディスプレイには、多機能ビデオ入力端子、多機能映像切替スイッチ、ビデオアンプを介して伝送されてくるインターホン子機を除く外部機器からの映像／データ等を出画させることができる。
【０００７】
【発明の実施の形態】
以下、本発明のカラーテレビドアホン装置を適用した好ましい形態の実施例について、図面を参照して説明する。
【０００８】
図１は、本発明の実施例によるカラーテレビドアホン装置の構成を示すブロック図である。
【０００９】
図１のブロック図に示すカラーテレビドアホン装置は、玄関に設置されており、来訪者が住戸内の居住者を呼び出して通話を成立させるための機能、来訪者の映像や玄関周囲近傍の映像を撮像するための機能を備えたインターホン子機１と、住戸内に設置されており、来訪者からの呼び出しを報知するための機能、来訪者からの呼び出しを確認した居住者が通話を成立させるための機能、インターホン子機１にて撮像された来訪者の映像や玄関周囲近傍の映像を出画するための機能、インターホン子機１を除く後述する外部機器にて撮像／作成された映像／データ等を出画するための機能を備えたインターホン親機２と、インターホン子機１のライン接続端子Ｔ1およびインターホン親機２のライン接続端子Ｔ2aの間を接続するための子機／親機接続ラインＬ1とで構成されている。
【００１０】
インターホン子機１には、上述のライン接続端子Ｔ1と、玄関に居る来訪者が住戸内の居住者を呼び出すために操作する呼出ボタン１０と、呼出操作を行った来訪者の映像や玄関周囲近傍の映像を撮像し、信号処理した映像信号を出力するためのカメラ１１と、カメラ１１からの映像信号をＦＭ変調するための映像変調回路１２と、呼出ボタン１０の操作またはインターホン親機２の後述する映像モニタボタン２５の操作を検出し、カメラ１１、映像変調回路１２をそれぞれ作動させるとともに、呼出ボタン１０の操作時において子機／親機接続ラインＬ1上に予め重畳されている直流電源の電圧レベルを降圧させ呼出信号を出力するための呼出検出／制御回路１３と、呼出操作を行った来訪者が居住者との間で通話を成立させるために使用するマイクロフォン、スピーカ、送受話アンプ等からなる通話部（以下、子機通話部という。）１４と、インターホン親機２から給電されてくる直流電源を、当該インターホン子機の構成各部／回路へ動作電源としてそれぞれ供給するための電源部（以下、子機電源部という。）１５と、上述の映像変調回路１２、呼出検出／制御回路１３、子機通話部１４、子機電源部１５とライン接続端子Ｔ1に接続されている子機／親機接続ラインＬ1との間の信号伝送路／電源供給路をそれぞれ形成するためのインターフェース（以下、子機Ｉ／Ｆという。）１６とが備えられている。
【００１１】
また、インターホン親機２には、上述のライン接続端子Ｔ2aと、インターホン子機１を除く外部機器としてデジタルカメラ、監視カメラ等の映像撮像器、ビデオプレイヤーやＤＶＤプレイヤー等の映像再生器およびＰＤＡ等のデータ作成器等が接続される多機能ビデオ入力端子Ｔ2bと、商用電源が接続される電源受電端子Ｔ2cと、当該インターホン親機の構成各部／回路をそれぞれ制御するためのＣＰＵ２０と、インターホン子機１の呼出ボタン１０を操作した玄関に居る来訪者からの呼び出しを検出するための呼出検出回路２１と、呼出検出回路２１からの呼出検出信号が入力されたＣＰＵ２０により制御され、後述するスピーカ２４から呼出音を鳴動させるための呼出音信号を出力する呼出音信号発生回路２２と、呼出音信号発生回路２２からの呼出音信号を増幅するための呼出音アンプ２３と、呼出音アンプ２３を介して増幅された呼出音信号を信号処理し、呼出音を鳴動するためのスピーカ（親機スピーカ）２４と、住戸内の居住者が玄関周囲近傍の映像を確認／監視するために操作する映像モニタボタン２５と、インターホン子機１のカメラ１１にて撮像された映像である当該インターホン子機からの映像変調信号をＦＭ復調するための映像復調回路２６と、呼出検出回路２１からの呼出検出信号が入力されたＣＰＵ２０または映像モニタボタン２５の操作を検出したＣＰＵ２０により制御され、多機能ビデオ入力端子Ｔ2bから後述するビデオアンプ２８を介してカラーディスプレイ２９へと形成されている信号伝送路を映像復調回路２６からビデオアンプ２８を介してカラーディスプレイ２９への信号伝送路に切り替えるための多機能映像切替スイッチ２７と、呼出検出回路２１からの呼出検出信号が入力されたＣＰＵ２０または映像モニタボタン２５の操作を検出したＣＰＵ２０または多機能ビデオ信号、例えば、映像撮像器にて撮像された映像、映像再生器およびデータ作成器にて作成された映像／データ等の多機能ビデオ信号が多機能ビデオ入力端子Ｔ2bに入力されたことを検出したＣＰＵ２０により制御されて作動し、多機能映像切替スイッチ２７を介して伝送されてきた映像信号、多機能ビデオ信号をそれぞれ増幅するためのビデオアンプ２８と、ビデオアンプ２８が作動される同一のタイミングでＣＰＵ２０により制御されて作動し、ビデオアンプ２８を介して増幅された映像信号、多機能ビデオ信号をそれぞれ信号処理して呼出操作を行った来訪者の映像や玄関周囲近傍の映像、映像撮像器にて撮像された映像、映像再生器およびデータ作成器にて作成された映像／データ等を出画するためのカラーディスプレイ２９と、応答操作を行った居住者が来訪者との間で通話を成立させるために使用するハンドセット、送受話アンプ等からなる通話部（以下、親機通話部という。）３０と、呼出検出回路２１からの呼出検出信号が入力されたＣＰＵ２０または映像モニタボタン２５の操作を検出したＣＰＵ２０により制御され、電源受電端子Ｔ2cに接続されている商用電源からの交流電源を直流電源へと整流／平滑し、この直流電源を当該インターホン親機の構成各部／回路へ動作電源としてそれぞれ供給するとともに、インターホン子機１の構成各部／回路への動作電源として子機電源部１５に給電するための電源部（以下、親機電源部という。）３１と、上述のＣＰＵ２０、呼出検出回路２１、映像復調回路２６、親機通話部３０、親機電源部３１とライン接続端子Ｔ2aに接続されている子機／親機接続ラインＬ1との間の信号伝送路／電源供給路をそれぞれ形成するためのインターフェース（以下、親機Ｉ／Ｆという。）３２とが備えられている。
【００１２】
このように構成された本発明の実施例によるカラーテレビドアホン装置において、以下、具体的な動作について説明する。
【００１３】
インターホン子機１およびインターホン親機２が待受状態時、すなわち、玄関に居る来訪者によりインターホン子機１の呼出ボタン１０が操作されていないことに起因して、インターホン親機２のスピーカ２４から呼出音の鳴動もなく、加えてインターホン子機１のカメラ１１にて撮像も行われない非呼出／通話状態時や住戸内の居住者によりインターホン親機２の映像モニタボタン２５が操作されないことに起因して、インターホン子機１のカメラ１１にて撮像が行われない非映像モニタ状態時において、インターホン親機２の多機能映像切替スイッチ２７の入出力は、多機能ビデオ入力端子Ｔ2bに入力された多機能ビデオ信号をビデオアンプ２８を介してカラーディスプレイ２９へと出力させるように切り替えられており、ゆえに、映像復調回路２６からビデオアンプ２８を介してカラーディスプレイ２９への信号伝送路は遮断されているものとする。
【００１４】
また、上述の待受状態時において、インターホン親機２の親機電源部３１は、電源受電端子Ｔ2cに接続されている商用電源からの交流電源を直流電源に整流／平滑し、当該インターホン親機の構成各部／回路へ動作電源としてそれぞれ供給しているとともに、この直流電源は、親機Ｉ／Ｆ３２、ライン接続端子Ｔ2a、子機／親機接続ラインＬ1、インターホン子機１のライン接続端子Ｔ1、子機Ｉ／Ｆ１６を介して子機電源部１５へと給電されており、子機電源部１５は、受電した直流電源を当該インターホン子機の構成各部／回路へ待受状態時用の動作電源としてそれぞれ供給している。
【００１５】
次に、上述の待受状態時において、デジタルカメラ、監視カメラ等の映像撮像器、ビデオプレイヤーやＤＶＤプレイヤー等の映像再生器およびＰＤＡ等のデータ作成器等（以下、これらの機器を外部機器という。）をインターホン親機２の多機能ビデオ入力端子Ｔ2bに接続させた場合、この外部機器から出力される多機能ビデオ信号は、多機能ビデオ入力端子Ｔ2b、多機能映像切替スイッチ２７を介してビデオアンプ２８へと伝送される。また、インターホン親機２のＣＰＵ２０は、外部機器からの多機能ビデオ信号が多機能ビデオ入力端子Ｔ2bに入力されたことを検出すると、ビデオアンプ２８、カラーディスプレイ２９をそれぞれ制御して作動させることにより、カラーディスプレイ２９には、ビデオアンプ２８を介して増幅された多機能ビデオ信号を信号処理させた映像／データ等、すなわち、映像撮像器にて撮像された映像、映像再生器およびデータ作成器にて作成された映像／データ等を出画させることができる。
【００１６】
次に、上述の待受状態時において、住戸内の居住者を呼び出すために、玄関に居る来訪者がインターホン子機１の呼出ボタン１０を操作すると、呼出操作を検出した呼出検出／制御回路１４の制御により、ライン接続端子Ｔ1とインターホン親機２のライン接続端子Ｔ2aとを接続する子機／親機接続ラインＬ1上に予め重畳されている直流電源の電圧レベルが子機Ｉ／Ｆ１６を介して降圧し、子機Ｉ／Ｆ１６、ライン接続端子Ｔ1、降圧された子機／親機接続ラインＬ1、インターホン親機２のライン接続端子Ｔ2a、親機Ｉ／Ｆ３２を介して呼出検出回路２１へと呼出信号が出力されるとともに、カメラ１１、映像変調回路１２がそれぞれ作動する。
【００１７】
インターホン子機１のカメラ１１は、呼出操作を行った来訪者の映像（玄関周囲近傍の映像を含む）の撮像を開始し、信号処理された映像信号は、映像変調回路１２を介して映像変調信号にＦＭ変調される。この映像変調信号は、子機Ｉ／Ｆ１６、ライン接続端子Ｔ1、子機／親機接続ラインＬ1、インターホン親機２のライン接続端子Ｔ2a、親機Ｉ／Ｆ３２を介して映像復調回路２６へと伝送される。
【００１８】
また、インターホン親機２の呼出検出回路２１は、インターホン子機１からの呼出信号に基づいて玄関に居る来訪者からの呼び出しを検出し、その旨の呼出検出信号をＣＰＵ２０へと出力する。
【００１９】
また、インターホン親機２のＣＰＵ２０は、呼出検出回路２１からの呼出検出信号が入力されると、呼出音信号発生回路２２を制御して呼出音信号を出力させるとともに、多機能映像切替スイッチ２７を制御し、予め形成されている多機能ビデオ入力端子Ｔ2bから当該多機能映像切替スイッチ、ビデオアンプ２８を介してカラーディスプレイ２９への映像伝送路（以下、第１の映像伝送路という。）を映像復調回路２６から当該多機能映像切替スイッチ、ビデオアンプ２８を介してカラーディスプレイ２９への映像伝送路（以下、第２の映像伝送路という。）に切り替えるばかりでなく、映像復調回路２６、ビデオアンプ２８、カラーディスプレイ２９をそれぞれ制御して作動させ、併せて親機電源部３１を制御して当該親機電源部からの直流電源を親機Ｉ／Ｆ３２、ライン接続端子Ｔ2a、子機／親機接続ラインＬ1、インターホン子機１のライン接続端子Ｔ1、子機Ｉ／Ｆ１６を介して子機電源部１５へと供給し、この直流電源は、呼出／通話時におけるインターホン子機１の構成各部／回路の動作電源となる。
【００２０】
また、インターホン親機２のスピーカ２４は、ＣＰＵ２０の制御により呼出音信号発生回路２１にて出力され呼出音アンプ２３を介して増幅された呼出音信号を信号処理して呼出音を鳴動させる。
【００２１】
また、インターホン親機２のビデオアンプ２８は、映像復調回路２６を介してＦＭ復調された後、ＣＰＵ２０の制御により切り替えられた多機能映像切替スイッチ２７を伝送されてきた映像信号を増幅することにより、カラーディスプレイ２９には、ビデオアンプ２８を介して増幅された映像信号を信号処理させた映像、すなわち、インターホン子機１のカメラ１１にて撮像された来訪者の映像（玄関周囲近傍の映像を含む）を出画させることができる。
【００２２】
さらに、インターホン親機２のスピーカ２４から鳴動された呼出音およびカラーディスプレイ２９に出画された映像に基づいて、玄関に居る来訪者からの呼び出しがあることを当該来訪者の判別と併せて確認した住戸内の居住者が親機通話部３０にて応答操作を行うと、この親機通話部３０と親機Ｉ／Ｆ３２、ライン接続端子Ｔ2a、子機／親機接続ラインＬ1、インターホン子機１のライン接続端子Ｔ1、子機Ｉ／Ｆ１６を介して来訪者が使用する子機通話部１４との間の信号伝路が形成され、形成された信号伝送路を介して音声信号を送受信させることにより通話が成立する。
【００２３】
次に、上述の待受状態時において、玄関周囲近傍の様子を確認／監視するために、住戸内の居住者がインターホン親機２の映像モニタボタン２５を操作すると、この操作を検出したＣＰＵ２０は、多機能映像切替スイッチ２７を制御し、多機能ビデオ入力端子Ｔ2bからカラーディスプレイ２９への上述の第１の映像伝送路を映像復調回路２６からカラーディスプレイ２９への上述の第２の映像伝送路へと切り替えるとともに、映像復調回路２６、ビデオアンプ２８、カラーディスプレイ２９をそれぞれ制御して作動させるばかりでなく、親機電源部３１を制御して当該親機電源部からの直流電源を親機Ｉ／Ｆ３２、ライン接続端子Ｔ2a、子機／親機接続ラインＬ1、インターホン子機１のライン接続端子Ｔ1、子機Ｉ／Ｆ１６を介して子機電源部１５へと供給させ映像モニタ時におけるインターホン子機１の構成各部／回路の動作電源とし、併せて親機Ｉ／Ｆ３２、ライン接続端子Ｔ2a、子機／親機接続ラインＬ1、インターホン子機１のライン接続端子Ｔ1、子機Ｉ／Ｆ１６を介して呼出検出／制御回路１３へと映像起動信号を出力し、この映像起動信号を検出した呼出検出／制御回路１３の制御によりカメラ１１、映像変調回路１２をそれぞれ作動させる。
【００２４】
インターホン子機１のカメラ１１は、玄関周囲近傍の映像の撮像を開始し、信号処理された映像信号は、映像変調回路１２を介して映像変調信号にＦＭ変調される。この映像変調信号は、子機Ｉ／Ｆ１６、ライン接続端子Ｔ1、子機／親機接続ラインＬ1、インターホン親機２のライン接続端子Ｔ2a、親機Ｉ／Ｆ３２を介して映像復調回路２６へと伝送される。
【００２５】
また、インターホン親機２のビデオアンプ２８は、映像復調回路２６を介してＦＭ復調された後、ＣＰＵ２０の制御により切り替えられた多機能映像切替スイッチ２７を伝送されてきた映像信号を増幅することにより、カラーディスプレイ２９には、ビデオアンプ２８を介して増幅された映像信号を信号処理させた映像、すなわち、インターホン子機１のカメラ１１にて撮像された玄関周囲近傍の映像を出画させることができる。
【００２６】
【発明の効果】
以上の説明から明らかなように、本発明のカラーテレビドアホン装置によれば、呼び出し、通話、映像モニタの各動作が作動していない待受状態時において、インターホン子機を除く外部機器、例えば、デジタルカメラ、監視カメラ等の映像撮像器、ビデオプレイヤーやＤＶＤプレイヤー等の映像再生器およびＰＤＡ等のデータ作成器等の外部機器にて撮像／作成された映像／データ等をインターホン親機のカラーディスプレイに出画させることができる。
【図面の簡単な説明】
【図１】本発明の実施例によるカラーテレビドアホン装置の構成を示すブロック図である。
【符号の説明】
１・・・・・インターホン子機
２・・・・・インターホン親機
１０・・・・・呼出ボタン
１１・・・・・カメラ
１４・・・・・（インターホン子機の）通話部
２１・・・・・呼出検出回路
２４・・・・・スピーカ
２５・・・・・映像モニタボタン
２７・・・・・多機能映像切替スイッチ
２９・・・・・カラーディスプレイ
３０・・・・・（インターホン親機の）通話部
Ｔ2b・・・・・多機能ビデオ入力端子
【図１】
2004201082.tif 000003